(57)【要約】  コンテナ型浄水処理装置は、貨物輸送用のコンテナの天板上に少なくとも太陽電池モジュールを配設し、一方、前記コンテナ内に前記太陽電池モジュールから得た電気で作動する複数個のポンプを有する浄水装置本体と、該浄水装置本体を制御する制御盤とを配設し、前記浄水装置本体は、反応タンク内に汚れた原水と凝集剤を入れ、かつ該反応タンクに設けた駆動モータの駆動力により回転する攪拌手段を介して沈降化するフロックと色度が透明色へと変化した透明水に分離する固・液分離処理部と、該固・液分離処理部と下流側の濾過装置との間に配設された上澄み採取装置とを備え、前記上澄み採取装置は、下流側に移送ポンプを備え、かつ上澄み採取タンク内に水位の変位に対応して昇降動すると共に、該上澄み採取タンク内の透明水中に残存する浮上フロックを吸い込まないように上澄み部分を吸引する可動パイプ手段を介して前記上澄み部分を下流側へ圧送する。
2010046960.tif 000002
【特許請求の範囲】
【請求項１】
貨物輸送用のコンテナの天板上に少なくとも太陽電池モジュールを配設し、一方、前記コンテナ内に前記太陽電池モジュールから得た電気で作動する複数個のポンプを有する浄水装置本体と、前記電気を利用すると共に該浄水装置本体を制御する制御盤とを配設し、前記浄水装置本体は、反応タンク内に汚れた原水と凝集剤を入れ、かつ該反応タンクに設けた駆動モータの駆動力により回転する攪拌手段を介して沈降化するフロックと色度が透明色へと変化した透明水に分離する固・液分離処理部と、該固・液分離処理部と下流側の濾過装置との間に配設された上澄み採取装置とを備え、前記上澄み採取装置は、下流側に移送ポンプを備え、かつ上澄み採取タンク内に水位の変位に対応して昇降動すると共に、該上澄み採取タンク内の透明水中に残存する浮上フロックを吸い込まないように上澄み部分を吸引する可動パイプ手段を介して前記上澄み部分を下流側へ圧送することを特徴とするコンテナ型浄水処理装置。
【請求項２】
請求項１に於いて、可動パイプ手段の基端部はスライド継手を介して上澄み採取タンクの下端部に取付けられ、一方、常に透明水に入り込んでいる自由端部は、水位の変化に対応して位置変位するフロートを備えていることを特徴とするコンテナ型浄水処理装置。
【請求項３】
請求項２に於いて、フロート又は可動パイプ手段の自由端部には、水位が下がった時に、上澄み採取タンクの底部内面に当接する棒状のストッパーが設けられていることを特徴とするコンテナ型浄水処理装置。
【請求項４】
請求項１に於いて、一つの反応タンクの底部は断面漏斗状に形成され、該底部の中央部には、排出弁を備えたフロック排出管が接続していることを特徴とするコンテナ型浄水処理装置。
【請求項５】
請求項１に於いて、浄水装置本体は、濾過装置の下流側に少なくとも１つの水質検査用の貯水層を有することを特徴とするコンテナ型浄水処理装置。
【請求項６】
請求項１に於いて、濾過装置は、配管ライン上にそれぞれ配設された第１濾過装置と、第２濾過装置と、第３濾過装置とから成り、これらの濾過装置の一つには、直接又は間接的に精密濾過膜が含まれていることを特徴とするコンテナ型浄水処理装置。
【発明の詳細な説明】
【技術分野】
【０００１】
本発明は、原水（汚れた水、海水、バラスト水、井戸水など）を飲料水に処理するコンテナ型浄水処理装置に関し、特に、被災地等において汚れた原水（濁水）を浄水処理し、被災者等に飲料水として給水することができるコンテナ型浄水処理装置に関する。
【背景技術】
【０００２】
特許文献１の図１には、濁水を飲料水にするために、コンテナ（３）内に、上流側から下流側へ固・液分離処理部（１ａ）、濾過薬剤処理部（１ｂ）及び浄水供給部１ｃをそれぞれ配設する事項が記載されている。【０００３】
しかして、前記固・液分離処理部（１ａ）は、濁水の不純物を沈殿させる沈殿処理槽（４）と、該沈殿処理槽で処理した原水に凝集剤を入れる凝集混合層（７）と、該凝集混合層とは別個に設けられ、かつ凝集混合層からの混合水を駆動モータの駆動力により回転する攪拌手段を介して沈降化するフロック（固形化した凝集物）と色度が透明色へと変化する透明水（第１処理水）に分離する凝集反応層とから成り、該固・液分離処理部（１ａ）で処理した処理水は、下流側の濾過装置で濾過して、最終的には浄水供給部１ｃを経て飲料水を得る。【０００４】
また、この特許文献１の図３には、コンテナ（３）内にエンジン型発電機（６０）、複数個のポンプ、制御ボツクス（６１）等をそれぞれ適宜に設置し、前記ポンプ、制御ボツクス（６１）等は、前記エンジン型発電機で発電した電気によって作動する旨が記載されている（符号は特許文献１のもの）。【０００５】
この特許文献１の浄水処理装置は、本願発明と同様にコンテナ型浄水処理装置なので、移動車両（２）の荷台（２ａ）に着脱可能に載置することができる。したがって、緊急時に於いて、例えば被災地にコンテナ型浄水処理装置を運搬すると、土木工事をすることなく、直ちに必要な場所に該コンテナ型浄水処理装置を設置し、被災者に飲料水を供給することができるという利点がある。【０００６】
また、この特許文献１の浄水処理装置は、濾過装置の目詰まりを防止するために、凝集混合反応装置（５）の上流側に沈殿処理槽（４）を設けている。したがって、原水中に含まれている泥が沈殿処理槽の底部に沈殿するので、下流側の凝集混合反応装置（５）内で沈降化するフロック（固形化した凝集物）の量を減少化できるという利点がある。【０００７】
しかしながら、特許文献１の浄水処理装置の問題点は、コンテナ（３）内の各ポンプ、制御ボツクス（６１）等は、化石燃料を使用するエンジン型発電機で発電した電気によって作動することである。つまり、発電手段が自然エネルギーを活用していない点である。【０００８】
また、前記凝集混合反応装置（５）は、特許文献１の図１に記載されているように、「凝集混合層」と「攪拌手段を備えた凝集反応層」とは別個であることから、装置が大型化する。また、前記凝集反応層に於いて、攪拌手段を介して沈降化するフロックと色度が透明色へと変化する透明水（第１処理水）に分離することができるという利点があるというものの、凝集剤は、普通一般に高分子量の粉末体なので、原水に溶解し、かつ希釈化状態で原水中のコロイドや微粒子の泥（物質）に反応する。【０００９】
そして、凝集剤が原水に反応すると、物質の表面電荷を中和して該物質を凝集し、その吸着・架橋作用により、フロックを形成し、原水よりも比重が重い物は凝集反応層の底部に沈蓮し、一方、原水よりも比重が軽い物は、凝集反応層内に浮遊する。付言すると、凝集反応層では浮遊状態のフロックは沈降せずに浮上している。したがって、下流側のフィルター濾過部（２０）は処理原水の中に含まれているフロックにより目詰まりする。【００１０】
また、特許文献２には、濁水の効率的な中和化、設備のコンパクト化等を目的とする浄水装置が記載されている。この特許文献２の段落００１３には、汚濁原水に凝集剤（例えば高分子量の水溶性ポリマー）を混合して、原水中の汚れた物質をフロックする事項が記載されている。【００１１】
さらに、特許文献３は、本願の発明者が提案した浄水装置が記載されている。この浄水装置は、特許文献３の図６で示すように、太陽電池モジュール（ソーラ発電）を使用して駆動モータを駆動し、該駆動モータの駆動力によってポンプを作動させ、該ポンプによって圧送された高圧原水（例えば海水）をＲＯ膜（数ミクロンの膜）に通して飲料水にする。しかしながら、特許文献３に記載の浄水装置は、例えば海水、井戸水等を飲料水にする場合には十分であるが、フロック（固形化した凝集物）の除去、被災地における緊急対応等という観点から、濁水を浄水処理して飲料水にするには不十分であった。
【特許文献１】特開２００７−７６１８号公報
【特許文献２】特開平１１−５７３１８号公報
【特許文献３】特許第３９９１２１１号公報
【発明の開示】
【発明が解決しようとする課題】
【００１２】
本発明の第１の目的は、緊急時に於いて、例えば被災地にコンテナ型浄水処理装置を運搬し、土木工事をすることなく、直ちに必要な場所に該コンテナ型浄水処理装置を設置し、被災者に飲料水を供給することができるである。第２の目的は、下流側の濾過装置が処理原水の中に含まれているフロックにより目詰まりしないようにすることである。第３の目的は、上澄み採取タンク内の可動パイプ手段が、該上澄み採取タンク内の水位の変位に対応して昇降動すると共に、該上澄み採取タンクの透明水中に残存する浮上フロックを吸い込まないようにすることである。第４の目的は、上澄み採取タンク内の可動パイプ手段が下降した場合に上澄み採取タンクの底部に沈蓮しているフロックを吸い込まないようにすることである。その他、濁水と凝集剤とを混合・攪拌する反応タンクを「一つ」にし、装置が大型化しないようにすること、複数個の装置をユニット化してコンテナの内部空間を有効的に活用すること、水質検査用の貯水槽を設けて水質検査を容易に行うことができる、不純物を完全に除去した・殺菌した・美味しい飲料水を得ること等である。
【課題を解決するための手段】
【００１３】
本発明のコンテナ型浄水処理装置は、貨物輸送用のコンテナの天板上に少なくとも太陽電池モジュールを配設し、一方、前記コンテナ内に前記太陽電池モジュールから得た電気で作動する複数個のポンプを有する浄水装置本体と、前記電気を利用すると共に該浄水装置本体を制御する制御盤とを配設し、前記浄水装置本体は、反応タンク内に汚れた原水と凝集剤を入れ、かつ該反応タンクに設けた駆動モータの駆動力により回転する攪拌手段を介して沈降化するフロックと色度が透明色へと変化した透明水に分離する固・液分離処理部と、該固・液分離処理部と下流側の濾過装置との間に配設された上澄み採取装置とを備え、前記上澄み採取装置は、下流側に移送ポンプを備え、かつ上澄み採取タンク内に水位の変位に対応して昇降動すると共に、該上澄み採取タンク内の透明水中に残存する浮上フロックを吸い込まないように上澄み部分を吸引する可動パイプ手段を介して前記上澄み部分を下流側へ圧送することを特徴とする。【００１４】
また、浄水装置本体は、濾過装置の下流側に少なくとも１つの水質検査用の貯水槽を有することを特徴とする。さらに、濾過装置は、配管ライン上にそれぞれ配設された第１濾過装置と、第２濾過装置と、第３濾過装置とから成り、これらの濾過装置の一つには、直接又は間接的に精密濾過膜が含まれていることを特徴とする。【００１５】
なお、ここで「精密濾過膜」とは、マイクロフィルトレーション、ナノフィルトレーション等の精密な濾過膜を言う。
【発明の効果】
【００１６】
（ａ）緊急時に於いて、例えば被災地にコンテナ型浄水処理装置を運搬し、土木工事をすることなく、直ちに必要な場所に該コンテナ型浄水処理装置を設置し、被災者に飲料水を供給することができる。
（ｂ）浄水装置本体は太陽電池モジュールから得た電気で作動するから、設置場所を選ばない。加えて、環境問題にも貢献する。
（ｃ）反応タンクと濾過装置の間に上澄み採取装置を配設したので、下流側の濾過装置は、処理水の中に含まれているフロックにより目詰まりしない。付言すると、上澄み採取タンク内の可動パイプ手段は、該上澄み採取タンクの水位の変位に対応して昇降動するので、該上澄み採取タンクの透明水中に残存する浮上フロックを吸い込まない。したがって、浮上フロックが下流側の濾過層に入り込まない。
（ｄ）フロート又は可動パイプ手段の自由端部には、水位が下がった時に、上澄み採取タンクの底部内面に当接する棒状ストッパーが設けられている実施例の場合には、上澄み採取タンクの底部に沈蓮しているフロックを吸い込まない。したがって、前記（ｃ）と同様の効果を得ることができる。
（ｅ）一つの反応タンクの底部が断面漏斗状に形成され、該底部の中央部には、排出弁を備えたフロック排出管が接続している実施例の場合には、沈蓮したフロックをスムースに排出することができる。
（ｆ）濾過装置が配管ラインに精密濾過膜を含む実施例の場合には、特に、蛋白質含有水溶液中に含有する殺菌を除去することができる。
（ｇ）第１濾過装置の下流側に少なくとも１つの水質検査用の貯水槽を有する実施例
の場合には、水質検査により、上流側の濾過装置の再生時期をチェックすることができる。
（ｈ）その他、複数種類の濾過装置を有する実施例の場合には、不純物を完全に除去した・殺菌した・美味しい飲料水を得ることができる。
【図面の簡単な説明】
【００１７】
図１乃至図９は本発明の最良の実施例を示す各説明図。
【図１】コンテナ型浄水処理装置の全体を示す概略説明図。
【図２】外観構成を示す概略説明図。
【図３】自己発電した電気の流れを示す概略説明図。
【図４】浄水装置本体の概略説明図
【図５】浄水装置本体の要部を示す概略説明図。
【図６】反応タンクの一例を示す概略断面説明図。
【図７】上澄み採取装置の正面視からの概略説明図。
【図８】上澄み採取装置の平面視からの概略説明図。
【図９】第３濾過装置の概略説明図。
【符号の説明】
【００１８】
Ｘ…コンテナ型浄水処理装置、５１…コンテナ、５５…天板、６１…太陽電池モジュール、６３…風力発電機、６２…制御盤、６４…インバータ、６５…バッテリー、６６…分電盤、Ｙ…浄水装置本体、６Ａ…第１濾過装置、６Ｂ…第２濾過装置、６Ｃ…第３濾過装置、７５…塩素注入器、７６…オゾン発生装置、７９…精密濾過膜を有する浄水器、１…原水（被処理水）、１ａ…透明水、１ｂ…上澄み部分、２…固・液分離処理部、３ａ…重いフロック（固形化した凝集物）、３ｂ…軽いフロック（浮上フロック）、４…凝集剤、５…上澄み採取装置、１１、１２…検知手段、１４…移送ポンプ、１５…駆動モータ、１６…反応タンク、１７…タンク本体、１８…フロック排出管、２０…攪拌手段、２２…凝集剤比例注入器、２５…上澄み採取タンク、２８…可動パイプ手段、２８ｂ…自由端部、３１…ストッパー。
【発明を実施するための最良の形態】
【００１９】
以下、図１乃至図９に示す本発明を実施するための最良の形態により説明する。【００２０】
（１）特徴部分の１
まず、本実施例のコンテナ５１の外観形状は横長収納箱である。このコンテナ５１は、普通一般の貨物輸送用の金属製コンテナ５１であるから、例えば２０フイート、４０フイート等の長さを有し、かつ運搬可能な収納箱である。もちろん、コンテナ５１の外観形状に関しては、運搬可能な収納箱であるならば、天板が山形状に形成されたハウス型のコンテナであっても良い。ここでは、図１、図２を参照にしてコンテナ５１の外観構成を説明する。【００２１】
５２は前壁に相当する開閉扉、５３は後壁、５４は左右の側壁、５５は長板状の天板、５６は前記左右の側壁のいずれか一方に形成された予備扉、５７は前記左右の側壁のいずれか一方に形成された開閉窓、５８はベース（床）である。本実施例のコンテナ５１は、通気性を考慮して前記予備扉５６及び開閉窓５７をそれぞれ設けている。【００２２】
さて、特徴部分の一つとして、本実施例では、コンテナ５１の天板５５の上面に少なくとも太陽電池モジュール６１を配設し、一方、コンテナ５１内に前記太陽電池モジュール６１から得た電気で作動する複数個のポンプを有する浄水装置本体Ｙと、該浄水装置本体Ｙを制御する制御盤６２とを配設している。【００２３】
また、前記天板５５の上面の前と後には、パネル式の前記太陽電池モジュール６１を挟むように前後一対の風力発電機６３が予備的に配設されている。公知のように、太陽電池モジュール６１は、「ソーラパネル」と称され、太陽光をエネルギー源とする太陽電池（直流）を利用している。また、風力発電機６３は、複数枚のブレート（羽）６３ａ、ロータ軸、増速器、動力伝達軸、タワー６３ｂ等を有し、前記ブレート６３ａが風によって回ることにより発電する。したがって、本実施例のコンテナ型浄水処理装置Ｘは、自己発電をする。もちろん、予備的に図示しないエンジン型発電機を搭載しても良い。【００２４】
そこで、コンテナ型浄水処理装置Ｘは、コンテナ５１内に直流を交流に変換するインバータ６４、該インバータが変換した電流を蓄積するバッテリー６５、図示しない変圧器等を備えている。図３で示すように、前記バッテリー６５に蓄積された電流は、制御盤６２及び分電盤６６を介して浄水装置本体Ｙ（駆動モータ、ポンプ等）へと流れる。【００２５】
（２）浄水装置本体Ｙと要部
次に、浄水装置本体Ｙと要部を説明する。図４は浄水装置本体Ｙの全体を上流（図面上、左）から下流（図面上、右）まで概略的に示した説明図である。また、図５は浄水装置本体Ｙの要部である。図４に於いて、実線の矢印は、不番の配管（配管ライン）を示す。まず、１は汚れた原水（被処理水）である。原水１は、無機物、有機物等の不純物を含んでいる。したがって、例えば原水の泥が茶色ならば、原水の色度（明度）は、非透明色（茶色）である。また、原水１は金属と微生物を含んでいる。【００２６】
２は前記原水１を「フロック（固形化した凝集物）３ａ、３ｂ」と「色度が透明に変化した透明水１ａ」に分離する固・液分離処理部である（図５参照）。この固・液分離処理部２は、後述するように、反応タンク１６、駆動モータ、攪拌手段、検知手段等を備え、前記反応タンク１６には、凝集剤４が不番の配管を介して混入される。付言すると、反応タンク１６内で原水１と凝集剤４が混合し、前記攪拌手段でゆっくりと所要時間攪拌すると、細かいフロック同士が互いに結合して「大きくかつ重く成長したフロック３ａ」と、「小さくかつ軽く成長したフロック３ｂ」と、「透明水１ａ」にそれぞれ別れ、前記比重の重いフロック３ａは反応タンクの底部に沈蓮し、一方、前記比重の軽いフロック３ｂは、透明水１ａの水面に浮上する。【００２７】
次に、５は固・液分離処理部２の反応タンクと下流側の複数種類の第１乃至第３の濾過装置６Ａ、６Ｂ、６Ｃのいずれかの間に配設された上澄み採取装置である。本実施例では、上澄み採取装置５は、固・液分離処理部２の反応タンク１６と第１濾過装置６Ａとの間に配設されている。この上澄み採取装置５は、後述するように上澄み採取タンク、フロートを含む可動パイプ手段、不番ライン上の移送ポンプ等を備え、前記上澄み採取タンク内の前記可動パイプ手段は、透明水中に残存する浮上フロックを吸い込まないように上澄み部分１ｂを吸引する。【００２８】
また、前記第１濾過装置６Ａは、砂、石ころ等を含み、上澄み部分１ｂに含まれている無機物を除去する。また、前記第２濾過装置６Ｂは、精密濾過膜の一例としての複数本の択一的な逆浸透膜（ＲＯ膜）を含み、第１濾過装置６Ａと第３濾過装置６Ｃとの間に配設され、高圧力によって除菌する。【００２９】
さらに、前記第３濾過装置６Ｃは、不番のラインを介して第２濾過装置６Ｂの下流側に配設され、かつ図９で示すように横長状活性層７１内に複数枚の仕切り壁７２、７３、７４を介してサンゴａ、麦飯石ｂ、活性炭ｃ等の処理材が水平方向にそれぞれ設けられている。【００３０】
また、該第３濾過装置６Ｃの前記活性層７１の上壁７１ａには、除菌用の塩素注入器７５及びオゾン発生装置７６がそれぞれ一体的に配設されている。そして、塩素注入器７５の塩素及びオゾン発生装置７６のオゾンガスは、注入ライン７７及び注入口７８を介して活性層７１内に注入される。【００３１】
加えて、本実施例の第３濾過装置６Ｃは、直接又は間接的に精密濾過膜を有する浄水器７９を備えている。この第３濾過装置６Ｃは、精密な濾過膜を含むので、特に、蛋白質含有水溶液中に含有する殺菌を除去することができる。なお、活性層７１内の右側の空間部分ｄは水質検査用の貯留層に相当する。【００３２】
（３）特徴部分の２
図４は、浄水装置本体Ｙの概略説明図である。前述したように、図４に於いて、実線の矢印は不番の配管（配管ライン）を示す。また、破線は制御盤６２と複数個の切換え弁、複数個の検知手段、複数個のポンプとを接続する通電線（通電ライン）を示す。また、１は原水、２は固・液分離処理部、５は上澄み採取装置、６Ａ第１濾過装置、６Ｂは第２濾過装置、６Ｃはオゾン発生装置等を含む第３濾過装置である。さらに、本実施例では、例えば第１濾過装置６Ａの下流側に、該第１濾過装置６Ａの図示しない再生装置の再生時期をチェックするための水質検査用の貯水槽８０が設けられ、該貯水槽８０と第１濾過装置６Ａを接続する配管ラインには圧力ポンプ８１が設けられている。【００３３】
制御盤６２は、例えば操作表示器（図示しない）、分電盤６６（図３）等を備え、図４に示した検知手段１１、１２からの信号に基づき複数の切換え弁Ｖ１乃至Ｖ４の開閉、複数のポンプ１３、１４、８１及び反応タンク１６の駆動モータ１５の駆動をそれぞれ制御する。なお、浄水装置本体Ｙの制御方法、濾過装置６Ａ、６Ｂ、６Ｃ等の詳細な説明は割愛する。【００３４】
さて、浄水装置本体Ｙは、原水１を原水ポンプ１３で汲み上げ、該原水１を不番の原水供給ラインを介して固・液分離処理部２の反応タンク１６へと供給する。図６は反応タンク１６の一例を示す概略断面説明図である。【００３５】
本実施例の一つの反応タンク１６のタンク本体１７は、長筒状の周胴部１７ａと、該周胴部１７ａの下端部に連設する断面漏斗の底部１７ｂとから成り、前記底部１７ｂの中央部には、第１制御弁（排出弁）Ｖ１を備えたフロック排出管１８が接続している。また、周胴部１７ａの下端部の排出口に接続する不番の配管ラインには、第２制御弁Ｖ２が設けられている。【００３６】
しかして、前記反応タンク１６は、周胴部１７ａの下端部に光センサー式の第１検知手段１１を有し、該第１検知手段１１は該反応タンク１６の透明水（第１処理水）の色度（透明度或は濁り具合）を検知する。また、反応タンク１６は、周胴部１７ａの上端部又は蓋体１７ｃに第２検知手段１２を有し、該第２検知手段１２は反応タンク１６の水面を検知する。また、前記蓋体１７ｃの上面の上方には、支持部材１９を介して駆動モータ１５が垂直状態に設けられている。また、前記駆動モータ１５の出力軸には、棒状部分の下端部に攪拌羽根を有する攪拌手段２０が取付けられている。さらに、前記蓋体１７ｃの上面の端部には、取付けベース板２１に取付けられ、かつ不番の注入ラインを介して凝集剤４を反応タンク１６内に所定量注入する凝集剤比例注入器２２が設けられている。【００３７】
前述したように、本発明は、固・液分離処理部２の反応タンク１６と第１濾過装置６Ａの間（配管ライン上）に上澄み採取装置５を配設し、該上澄み採取装置５は、下流側に移送ポンプ１４を備え、かつ、上澄み採取タンク２５内に水位の変位に対応して昇降動すると共に、該上澄み採取タンク２５の透明水中に残存する浮上フロック３ｂを吸い込まないように上澄み部分（上澄み液）１ｂを吸引する可動パイプ手段２８を介して前記上澄み部分１ｂを下流側へ圧送する。前記可動パイプ手段２８基端部２８ａはスライド継手２９を介して上澄み採取タンク２５の周胴部２５ａの下端部に取付けられ、一方、常に透明水に入り込んでいる自由端部２８ｂには、水位の変化に対応して位置変位するフロート３０を備えている。【００３８】
しかして、本実施例では、前記自由端部２８ｂは下向きに鉤状に折り曲げ形成され、確実に上澄み部分１ｂのみを吸い取るように工夫されている。また、前記フロート３０又は可動パイプ手段２８の自由端部２８ｂには、水位が下がった時に、上澄み採取タンク２５の底部２５ｂ内面に当接する棒状のストッパー３１が斜め下向き状態に設けられている。【００３９】
さらに、上澄み採取タンク２５の周胴部２５ａの上端部には、入口弁３２を備えた配管ラインが接続し、一方、前記周胴部２５ａの下端部のスライド継手２９に接続する配管ラインの適宜箇所には、採取ポンプ１４及び第３制御弁（上澄み部分１ｂの自動取り出し弁）Ｖ３がそれぞれ設けられている。【００４０】
ところで、図７で示すように、前記上澄み採取タンク２５は、周胴部２５ａと、該周胴部の下端部に連設する断面漏斗状の底部２５ｂとから成り、前記底部２５ｂの周端部には、複数本の脚２６が設けられている。また、底部２５ｂの中央部には排出弁２７を有する不番の配管ラインが接続している。【００４１】
しかして、上澄み採取タンク２５内には、重いフロック３ａと軽いフロック（浮上フロック）３ｂの両方が入り込んで来るが、上澄み採取タンク２５内から可動パイプ手段２８を介して上澄み部分（上澄み液）１ｂを取り出し後に前記底部２５ｂに残った全てのフロック３ａ、３ｂは、前記排出弁２７を「開く」ことにより排出される。なお、特に図示しないが、上澄み採取タンク２５には水位を検知するためのレベル検出器が適宜に設けられている。
【実施例】
【００４２】
本実施例に於いて、凝集剤の一例として、「日本ポリグル株式会社」が製造する「製品番号ＰＧα２１Ｃａ（納豆菌を主成分とする凝集剤）」が使用される。また、凝集剤を必要以上に反応タンク１６に入れないようにするために、望ましくは凝集剤比例注入器２２が用いられる。さらに、可動パイプ手段２８の自由端部２８ｂの形状は、例えば下向きに鉤状に折り曲げ形成されているが、自由端部２８ｂの端面（吸引口）が下向きであれば、自由端部２８ｂの折り曲げ形状は、本発明の本質的事項ではない。
【産業上の利用可能性】
【００４３】
本発明は、緊急時、例えば被災地に貨物で運搬し、飲料水を供給する場合に利用される。
【図１】
2010046960.tif 000003
【図２】
2010046960.tif 000004
【図３】
2010046960.tif 000005
【図４】
2010046960.tif 000006
【図５】
2010046960.tif 000007
【図６】
2010046960.tif 000008
【図７】
2010046960.tif 000009
【図８】
2010046960.tif 000010
【図９】
2010046960.tif 000011
【国際調査報告】
2010046960.tif 000012
2010046960.tif 000013
2010046960.tif 000014
2010046960.tif 000015
2010046960.tif 000016